(57)【特許請求の範囲】
【請求項１】
近似Ｙ字状の背当て部１を形成し、該背当て部１の二又部上に肩掛けベルト２をＶ字状に配置し、肩掛けベルト２端にバックル３を設け、該バックル３には、一端を折り返してベルト挿通部４を設けた胸前ベルト５の他端部をバックル３に係止する肩掛け部と、
近似Ｙ字状の背当て部１の垂直部に、一端にバックル６を設けた取付ベルト７を複数本直角方向に配置し、背当て部１の下端部に環８を設けると共に、背当て部１の下端部にベルト押さえ９を設けたノズル取付部から成ることを特徴とする法面作業用ノズルホルダー。
【請求項２】
肩掛けベルト２のバックル３と取付ベルト７のバックル６をワンタッチ方式のバックルとしたことを特徴とする請求項１に記載の法面作業用ノズルホルダー。
【請求項３】
取付ベルト７に面ファスナーを縫着したことを特徴とする請求項１、２記載の法面作業用ノズルホルダー。
【発明の詳細な説明】
【技術分野】
【０００１】
本願は、法面作業者がコンクリートなどの吹付け作業時にノズル先端部を保持するノズルホルダーに関するものである。
【背景技術】
【０００２】
切り土や盛り土を施行した後に、雨水や地下浸透水による浸食や風等の自然風化作用による崩落等から法面の崩壊を防ぐために、法面保護工事を行っている。
法面保護工事には、草の種を吹付けて草の根によって法面の崩壊を防ぐ方法や、コンクリートやモルタルを吹付けて法面の崩壊を防ぐ方法などがある。
草の種や土・モルタル・コンクリートの吹付けは、ノズルマンと呼ばれる技能工が行っている。
ノズルマンの吹付け作業は、湿式吹付け機と空気圧縮機によって草の種や土・モルタル・コンクリートを、長さ数１０メートルのホースを通してホース先端のノズルから法面に吹付けて、法面に草の種や土・モルタル・コンクリートの層を形成させる作業である。
特に、モルタルやコンクリートの吹付け作業は、打ち込みと締め固めを同時に行う作業でり、その施工の良否はノズルマンが重要な役割を果たしている。
つまり法面保護工事の品質は、一般のコンクリート構造物の施工と異なり、その最終工程を担うノズルマンの吹付け作業の技術に大きく依存している。
モルタル吹付け作業の品質を左右する締め固め不足・空洞の発生・リバウンドの巻き込みの３要素を発生させない様に、ノズルの向きやノズルと法面の距離やノズルの動かし方など、ノズルワークに的確な技術が要求されている。
【０００３】
ノズルマンの吹付け作業は、図６に示すような方法で行っている。
上方に固縛された親ロープＲが作業を行う法面に垂下され、該親ロープＲには、安全器Ｓが嵌合されており、安全器Ｓに設けた連結ロープ先端のフックを傾斜面用安全帯Ａの両端環に係止して作業者の転落を防止すると共に、姿勢の安定を図っている。
作業者は、ノズルＮの先端から約２．５ｍの位置のホース部と安全帯の後部の環を小ロープで連結し、ホースを肩上または腋下を通して先端のホース部を片手または両手で保持しながら吹付けを行っている。
【０００４】
この吹付け作業はかなりの重労働で、危険も伴い、高い技能も必要とされる。
ノズルマンは、急傾斜の法面で自身の姿勢を保ちながら、モルタルなどの吹出しの反力に抗して、重いホースの向きや位置を定めホース賛嘆を性格に動かさなければならないため、腕力・体力・径間が必要とされる。
また作業者は、ホースより手を離せば、ホースの固縛位置からホース先端までが長いため、圧縮空気の噴出しによりホース先端が暴れて危険である。
【０００５】
よって、この法面での吹付け作業は、重労働であるため、作業者の体力的負担は大きく、また、吹付け圧力（コンクリート圧送圧力）が上げられず、施工速度と施工品質の向上が図れなかった。
【発明の開示】
【発明が解決しようとする課題】
【０００６】
法面の吹付け作業時の作業者の負担を軽減すると共に、余裕を持って正確なノズルワークが行えるようにすること。また、吹付け圧力を上げて、施工速度と施工品質の向上を図ることを課題とする。
【課題を解決するための手段】
【０００７】
本願は、コンクリートを圧送するホース（ノズル）先端部をベルトで固定するノズルホルダーを開示し、ホース（ノズル）先端部をリュックサックのように背負える形として、簡単に装着でき背中に固定できるものである。
【発明の効果】
【０００８】
以上のように、リュックサックのように背負える形としたため簡単に装着できる。
また、ノズルホルダーで作業者の背中で半固定されるので、作業者の手などの体力的負担が軽減されると共に、先端部の向きを微調整する程度の操作で正確なノズルワークができ施工品質が向上する。
また、万が一ホースより手を離してしまってもホース先端部が短いので、ホース先端は上を向いた状態で保たれ暴れることがなく安全である。
【０００９】
よって、ノズルマン未経験者にとっては辛い部分であったが、体力的負担が軽減されることにより、比較的作業がしやすくなり、初心者の方でも不安なく行えるようになった。
【００１０】
また、ノズルホルダーにより、作業者の体力的負担軽減の効果が大きいため、以前よりコンクリート圧送圧力を上げることができ、施工速度と施工品質の向上を図ることができる。
従来の施工速度は、平均２．７３立方メートル／時間でコンクリートを送っていたが、本願を使用することにより平均３．９１立方メートル／時間となり、約１．４３倍の施工速度となり、施工品質の向上と共に、工期の短縮となりコストダウンをも図ることができる。
【実施例】
【００１１】
本願の実施例を詳記すると、
図１に示すように、近似Ｙ字状の背当て部１を形成し、該背当て部１の二又部上に肩掛けベルト２をＶ字状に配置し、肩掛けベルト２端にバックル３を設け、該バックル３には、一端を折り返してベルト挿通部４を設けた胸前ベルト５の他端部をバックル３に係止する肩掛け部と、
近似Ｙ字状の背当て部１の垂直部に、一端にバックル６を設けた取付ベルト７を複数本直角方向に配置し、背当て部１の下端部に環８を設けると共に、背当て部１の下端部にベルト押さえ９を設けたノズル取付部とから成る構造である。
【００１２】
本願の背当て部１は、表裏メッシュ素材を用い、間にクッション材を入れたものであり、背中へのフィット感は良く、肩部の環には、安全器を連結し、垂直面やオーバーハングの面での作業において体力的負担を軽減させ、作業効率を向上させる。
【００１３】
本願のノズルホルダーのバックル３，６は、鋼板を口形状に打ち抜き加工した二枚重ねしたものを用いる。これは、安価に提供できる利点がある。
図示したバックルの他にワンタッチ式のバックルを用いても同等の効果を有する。
【００１４】
また、取付ベルト７に面ファスナーを設け、ホースを固定することも同等の効果を有する。
また、取付ベルト７の内周面に面ファスナーを設け、ホースの所定箇所に同じく面ファスナーを巻きつけ、ずれ防止を図ることもできる。
【００１５】
本願ノズルホルダーを使用するには、図２のように、安全帯Ａ（腰ベルトでもよい）を予めベルト挿通部４とベルト押さえ９とに挿通しておき、コンクリート圧送用ホース先端部寄りにノズルホルダーの垂直部に添わし、取付ベルト７を回してバックル６で三箇所固定する。
そして、ノズルホルダーの肩掛けベルト２を肩に掛けて安全帯Ａを腰部に回してバックルで締付けを行い、胸前ベルト５の先端部を引いて作業者の身体に合わせるものである。（図３）
その後、傾斜面用安全帯を腰部に取り付けて図５の様に、法面作業を行うものである。
【００１６】
図４は、ノズルホルダーに傾斜面用安全帯を直接取り付けた正面図であり、作業者の好みによって組み合わせは自由である。
【図面の簡単な説明】
【００１７】
【図１】本願ノズルホルダーの正面図。
【図２】本願ノズルホルダーと安全帯を組み合わせたところの正面図。
【図３】本願ノズルホルダーにノズルを取付けた装着状態の正面図。
【図４】本願ノズルホルダーに傾斜面用ベルトを組み合わせた正面図。
【図５】本願ノズルホルダーを使用した作業状態図。
【図６】従来の作業状態図。
【符号の説明】
【００１８】
１  背当て部
２  肩掛けベルト
３  バックル
４  ベルト挿通部
５  胸前ベルト
６  バックル
７  取付ベルト
８  環
９  ベルト押さえ
Ａ  安全帯
Ｎ  ノズル
Ｒ  親ロープ
Ｓ  安全器
【図１】
0005001081.tif 000002
【図２】
0005001081.tif 000003
【図３】
0005001081.tif 000004
【図４】
0005001081.tif 000005
【図５】
0005001081.tif 000006
【図６】
0005001081.tif 000007